(57)【要約】      （修正有）【課題】包装袋から出る個包装されたアメ等の包み紙やせんべい、クッキー等を包んだ小袋やフィルム等のゴミを、身近に収納することができる資源ゴミ回収袋を提供する。【解決手段】合成樹脂製の小袋、あるいは合成樹脂フィルム等で、個包装した商品を、複数個を入れて包装する包装用袋１において、該包装用袋１の裏面に、使用済みの前記小袋並びに前記フィルムを回収する回収袋３を、包装用袋１に一体に設け、該回収袋３の開口部２は、開閉可能手段Ｘを設けたことを特徴とする包装用袋に装着する資源ゴミ回収袋から構成されるものである。【選択図】図３
0003168549.tif 000002
【実用新案登録請求の範囲】
【請求項１】
合成樹脂製の小袋（１ａ）、あるいは合成樹脂フィルム（１ｂ）等で、個包装された製品（Ａ）を複数個を入れた包装用袋（１）において、
該包装用袋（１）の裏面に、
使用済みの小袋（１ａ）並びに合成樹脂フィルム（１ｂ）を回収する回収袋（３）を、前記包装用袋（１）に一体に設け、
該回収袋（３）の開口部（２）は、開閉可能手段（Ｘ）を設けたことを特徴とする包装用袋に装着する資源ゴミ回収袋。
【請求項２】
回収袋（３）が、包装用袋（１）より、小さいことを特徴とする請求項１記載の包装用袋に装着する資源ゴミ回収袋。
【請求項３】
包装用袋（１）の裏面、あるいは回収袋（３）に、小袋（１ａ）、合成樹脂フィルム（１ｂ）等を、回収袋（３）に入れることを指示する文書（Ｙ）を記載することを特徴とする請求項１記載の包装用袋に装着する資源ゴミ回収袋。
【考案の詳細な説明】
【技術分野】
【０００１】
この考案は、包装用袋に装着する資源ゴミ回収袋であり、特に、アメ、チョコレート、クッキー、煎餅等、個別包装された食品等の製品を包んだ袋を資源ゴミとして回収するための資源ゴミ回収袋に関するものである。
【背景技術】
【０００２】
従来、飲料用のペットボトル、飲料用の缶、食品トレイ等は、リサイクルが可能であるため、資源ゴミとして回収され、再利用されている。
【０００３】
しかし、家庭等から排出される小さなプラスチック製の包み紙、袋菓子等のプラスチック製のフィルム、プラスチック製袋等の包装材は、資源ゴミでありながら、取扱い量が微小のため、リサイクルされずに、そのまま、くず箱に入れられ、紙ゴミ等と一緒に、あるいは家庭においては、厨ゴミと一緒に廃棄され、大半が家庭ゴミとして焼却処分されているのが実状である。
【０００４】
また、このような個包装の袋やフィルムは、家庭内ではともかく、屋外とか、車内では、一々、ゴミ箱まで捨てに行くことはなく、立ち寄ったサービスエリア等でゴミ箱内に一般の厨ゴミ等の一般ゴミとして捨てている。
【０００５】
しかしながら、これらの小さなプラスチック製の小袋やフィルム材も、多く集まれば、増燃料となり、資源の無駄遣いとなるものである。
【０００６】
そこで、例えば、包装袋とは別に、他の物を収納する袋は存在した。
例えば、特許文献１のように。
【先行技術文献】
【特許文献】
【０００７】
【特許文献１】特開２００６−２２２２９０号公報
【０００８】
しかし、この特許文献１は、包装袋にポテトチップスを入れ、ポテトチップスで汚れた手を拭うためのお手拭きを別の袋に収納して、細長いテープに、それぞれ貼着したものであり、この考案とは目的も異なるものであった。
【考案の概要】
【考案が解決しようとする課題】
【０００９】
そこでこの考案は、包装袋から出る個包装されたアメ等の包み紙やせんべい、クッキー等を包んだ小袋やフィルム等のゴミを、身近に収納することができる資源ゴミ回収袋を開発・提供するものである。
【課題を解決するための手段】
【００１０】
この考案である課題を解決するための手段は、合成樹脂製の小袋、あるいは合成樹脂フィルム等で、個包装された商品を、複数個を入れて包装する包装用袋において、該包装用袋の裏面に、使用済みの小袋並びに合成樹脂フィルムを回収する回収袋を、前記包装用袋に一体に設けるよう構成した資源ゴミ回収袋とするものである。
【考案の効果】
【００１１】
この考案によると、包装用袋（１）内の、商品（Ａ）を個包装した合成樹脂製の小袋（１ａ）、あるいは合成樹脂フィルム（１ｂ）を、使用後、直ちに、該包装用袋（１）に装着した回収袋（３）内に、直ちにる収納することができ、部屋内の床やテーブル上が、これら小袋や合成樹脂フィルムで散らかることなく、清潔である等の効果を有する。
【００１２】
また、包装用袋（１）の背面と、回収袋（３）の背面とを共有することにより、２個の袋を、別個に設ける必要がなく、資源の無駄を省くことができる等極めて有益なる効果を奏するものである。
【図面の簡単な説明】
【００１３】
【図１】この考案の一実施例を示す斜視図である。
【図２】この考案の一実施例を示す断面図である。
【図３】この考案の他の実施例を示す斜視図である。
【図４】この考案の他の実施例を示す断面図である。
【図５】従来例を示す一部欠截斜視図である。
【考案を実施するための形態】
【００１４】
この考案は、包装用袋の内部に、商品を個包装した合成樹脂製の小袋や、商品をフィルム包装した合成樹脂製のフィルムを、使用された後、直ちに、一時的収納できる回収袋を、前記包装用袋と一体に設けるよう構成した包装用袋に装着する資源ゴミ回収袋である。
【実施例】
【００１５】
この考案の一実施例を図面に基づいて詳細に説明すると、合成樹脂製の小袋（１ａ）、あるいは合成樹脂フィルム（１ｂ）等で、個包装した商品（Ａ）を、複数個を入れて包装する包装用袋（１）において、該包装用袋（１）の裏面に、使用済みの前記小袋（１ａ）並びに前記フィルム（１ｂ）を回収する回収袋（３）を、前記包装用袋（１）に一体に設け、該回収袋（３）の開口部（２）は、開閉可能手段（Ｘ）を設けたことを特徴とする包装用袋に装着する資源ゴミ回収袋から構成されるものである。
【００１６】
尚、前記、包装用袋（１）と、この考案の資源ゴミ回収袋（３）とは、裏面を共有するものであってもよく、また、別々の袋で構成したものであってもよい。
【００１７】
また、前記回収袋（３）の開口部（２）における開閉可能手段（Ｘ）の一例としては、開口部（２）に、フラップ（２ａ）を設け、該フラップ（２ａ）の裏面、あるいは、裏面の下部には、剥離シート（２ｃ）を介して接着剤（４）を塗布しておき、閉塞時に、剥離シート（２ｃ）を剥がし、フラップ（２ａ）を回収袋（３）側に接着して閉塞して包装用袋（１）と一体に廃棄するよう構成したものである。
【００１８】
さらに、前記回収袋（３）の開口部（２）における開閉可能手段（Ｘ）の他の例としては、開口部（２）設けたフラップ（２ａ′）を設けるにあたり、フラップ（２ａ′）の両端辺（２ｄ，２ｄ′）を、それぞれ包装用袋（１）と固定・接着し、フラップ（２ａ′）の下端部（Ｂ）より、少し上部に、開口部（２）の上端部（Ｃ）が位置するようそれぞれフラップ（２ａ′）と回収袋（３）の表面を重合して設けるものである。
【００１９】
この開閉可能手段（Ｘ）の使用方法は、小袋やフィルム等のゴミは、フラップ（２ａ′）の下端部（Ｂ）と、開口部（２）の上端部（Ｃ）とを押し広げ、収納するものであり、収納後、フラップ（２ａ′）の両端をそれぞれ反対方向に引っ張れば、開口部（２）は閉塞され、内部に収納したゴミが、外部に出ることはない。
【００２０】
また、回収袋（３）は、包装用袋（１）と同一の大きさか、あるいは包装用袋（１）より、小さい大きさの包装用袋に装着する資源ゴミ回収袋がよい。
【００２１】
さらに、包装用袋（１）の裏面、あるいは回収袋（３）に、小袋（１ａ）、合成樹脂フィルム（１ｂ）等を、回収袋（３）に入れることを指示する文書（Ｙ）を記載することを特徴とする包装用袋に装着する資源ゴミ回収袋である。
【産業上の利用可能性】
【００２２】
この考案によると、包装用袋に装着する資源ゴミ回収袋の製造技術を習得し、これに基づき、実施・販売することにより産業上の利用可能性がある。
【符号の説明】
【００２３】
１  包装用袋
１ａ  合成樹脂製の小袋
１ｂ  合成樹脂フィルム
２  開口部
２ａ  フラップ
３  回収袋
Ａ  商品
Ｘ  開閉可能手段
Ｙ  文書
【図１】
0003168549.tif 000003
【図２】
0003168549.tif 000004
【図３】
0003168549.tif 000005
【図４】
0003168549.tif 000006
【図５】
0003168549.tif 000007